(57)【要約】      （修正有）【課題】カードリーダ付き情報提供システムにおいて、使用者がいたずらや不正目的でコンピュータ本体のシステムプログラムを改ざんしたり不正操作したりすることができないようにする。【解決手段】プリペイドカードを利用して構内で使用時間に対して課金し制御するカードリーダ４を設けた通信ネットワーク６を接続した情報提供システムにおいて、情報提供システムは少なくともコンピュータ本体１と表示端末２及び操作端末３を備え、操作端末３からの所望の操作以外の特定キー又は特定ボタンを操作したときの信号をコンピュータ本体に送信することを阻止する特定信号阻止回路（送信信号選別器）５を操作端末３とコンピュータ本体１との間に設けた情報提供システム。【選択図】図１
2006236020.tif 000002
【特許請求の範囲】
【請求項１】
プリペイドカードを利用して構内で使用時間に対して課金し制御するカードリーダを設けた通信ネットワークを接続した情報提供システムにおいて、情報提供システムは少なくともコンピュータ本体と表示端末及び操作端末を備え、操作端末からの所望の操作以外の特定キー又は特定ボタンを操作したときの信号をコンピュータ本体に送信することを阻止する特定信号阻止回路を操作端末とコンピュータ本体との間に設けたことを特徴とするカードリーダ付き情報提供システム
【請求項２】
前記操作端末の特定キーがキーボード上のAltキーであって、前記特定信号阻止回路は操作キーボードのAltキーを操作したときの信号を検出して、コンピュータ本体への送信を阻止することを特徴とする請求項１に記載のカードリーダ付き情報提供システム
【請求項３】
前記操作端末の特定ボタンがマウスの右ボタンであって、前記特定信号阻止回路は操作端末のマウスの右ボタンを操作したときの信号を検出して、コンピュータ本体への送信を阻止することを特徴とする請求項１に記載のカードリーダ付き情報提供システム
【発明の詳細な説明】
【技術分野】
【０００１】
本発明は、病院、空港ターミナル、コンビニエンス・ストア、喫茶店等の施設に設置されるカードリーダ付き情報提供システムの技術分野に属する。
【背景技術】
【０００２】
近時、病院、空港ターミナル、コンビニエンス・ストア、喫茶店等の施設には、インターネット等の通信ネットワークを介して各種情報にアクセスと、電子メールの送受信ができるパーソナルコンピュータ(パソコン：ＰＣ)を組み込んだ情報提供システムが設置され、この情報提供システムの稼働をプリペイドカードを利用して使用時間を計算して課金し制御するカードタイマーが設けられ、利用者が各種情報にアクセスできる情報提供サービスが行われるようになっている。
これらの課金し制御するカードタイマー付き情報提供システムは、常に課金に対する不正使用の対策を講じなければならず、例えば、特許文献１に示されるような、別の公衆回線を利用して動作異常を監視して、不正使用を防止する技術が開示されている。
【０００３】
【特許文献１】特許第３４８６８４７号公報
【発明の開示】
【発明が解決しようとする課題】
【０００４】
ところで、一般の使用者に提供するカードリーダ付き情報提供システムにおいては、使用者がいたずらや不正目的でコンピュータ本体のシステムプログラムを勝手に変えてしまい、修復することが厄介であったり、不正操作により無料で使用する場合があるという問題点があった。
本発明は、上記の問題点に鑑みてなされたもので、カードリーダ付き情報提供システムにおいて、使用者がいたずらや不正目的でコンピュータ本体のシステムプログラムを勝手に変えることを出来なくし、また、不正操作で無料で使用することを出来なくしたカードリーダ付き情報提供システムを提供しようとするものである。
【課題を解決するための手段】
【０００５】
上記の課題を解決するために、請求項１の発明は、プリペイドカードを利用して構内で使用時間に対して課金し制御するカードリーダを設けた通信ネットワークを接続した情報提供システムにおいて、情報提供システムは少なくともコンピュータ本体と表示端末及び操作端末であるキーボードやマウスを備え、操作端末からの所望の操作以外の特定キー又はマウスを操作したときの信号をコンピュータ本体に送信することを阻止する特定信号阻止回路を操作端末とコンピュータ本体との間に設けたことを特徴とするカードリーダ付き情報提供システムである。
請求項２の発明は、前記操作端末の特定キーがキーボード上のAltキーであって、前記特定信号阻止回路は操作キーボードのAltキーを操作したときの信号を検出して、コンピュータ本体への送信を阻止することを特徴とする請求項１に記載のカードリーダ付き情報提供システムである
請求項３の発明は、前記操作端末の特定ボタンがマウスの右ボタンであって、前記特定信号阻止回路は操作端末のマウスの右ボタンを操作したときの信号を検出して、コンピュータ本体への送信を阻止することを特徴とする請求項１に記載のカードリーダ付き情報提供システムである。
【発明の効果】
【０００６】
本発明のカードリーダ付き情報提供システムによれば、使用者がいたずらや不正目的でコンピュータ本体のシステムプログラムを勝手に変えることが出来なくなり、また、不正操作により無料で使用することが出来なくなる。
【発明を実施するための最良の形態】
【０００７】
本発明のカードリーダ付き情報提供システムの好適な実施例について、図面を参照して説明する。
本実施例のカードタイマー付き情報提供システムは、カードタイマーにプリペイドカードやコインや紙幣等を投入することにより、その投入課金金額に応じてインターネット等の通信ネットワークを介して各種情報の入手と、電子メールの送受信の利用を使用者に提供するものである。
図１に示すように、本実施例のカードタイマー付き情報提供システムは、各種情報の入手と、電子メールの送受信の利用に特化し限定的な使用であり、これに関する所望の操作ができるように、全体の構成は、通常のパソコンと同様に、基本的にはコンピュータ本体１と表示端末(ディスプレイ)２と、これらにキーボード31やマウス32等の操作端末３からなり、これにコンピュータ本体１と操作端末３のキーボード31やマウス32との間に介在する操作端末の送信信号選別器５、及び、プリペイドカードの残金状態を読み込むカードリーダ４とを付加し、本情報提供システムを立ち上げるとコンピュータ本体１はインターネット６に接続する構成である。
【０００８】
次に、図１の全体の構成概要と図２のフローチャートとから本実施例の構成と手順を説明する。
本実施例のプリペイドカードの使用可能金額を読むカードタイマー付き情報提供システムをスタートさせるには、図２のフローチャートで説明すると、何もしない通常状態では表示端末２に「カードを入れてください。」というメッセージが表示されスタンバイ状態になっているが、ステップ１で、利用者が、カードタイマー付き情報提供システムを利用するために、プリペイドカードをカードリーダ４に挿入すると、図１に示すように、カード挿入信号がコンピュータ本体に送信され、コンピュータ本体１が立ち上がり、自動的に各検索エンジン、天気予報、地図、ニュース、映画、ゲーム等のカテゴリー別のアイコンや、メールの送受信のアイコンを表示した操作を選択するメイン画面が表示端末２に表示される。
【０００９】
ステップ２以後の操作は通常のコンピュータと同じで、表示端末２のメイン画面のアイコンを操作端末３のキーボード31の操作やマウス32等でクリックすればインターネット６に接続する。
ここで、ステップ３では、コンピュータ本体１がインターネット６に接続出来なければ(No)、本情報提供システムでは課金は行わず、ステップ４でコンピュータ本体１からカードリーダ４にプリペイドカード返却信号が送信され、カードリーダ４からカウントが減算されていない元のままの状態のプリペイドカードが返却されて終了する。
ここで、コンピュータ本体１がインターネット６に接続すれば(Yes)、ステップ５に進み、課金を開始すると同時に残金を算出して、その信号をカードリーダ４に送信して、カードリーダ４の表示部にその額を表示する。
ステップ５で課金を開始すると同時に、ステップ６でコンピュータ本体１内にプログラムされたタイマーの稼働が開始され、ステップ７で利用者は所望の情報を入手すべくキーボード31やマウス32等の操作端末３を操作する。
この操作は、例えば、「天気予報」のアイコンをマウス32でクリックすれば、地域選択の画面が表示され、以後、利用者が必要とするページに到達するようにキーボード31やマウス32等の操作端末３を操作すればよい。また、任意のホームページを閲覧したい場合はＵＲＬにキーボード31でアドレスを入力して表示させ、必要とする所望の画面を得るように操作を継続する。
【００１０】
また、メールの送受信の場合は、メールの送受信のアイコンをクリックして各社のバナー(ロゴ)を表示させ、利用者の利用したい各社のバナーをクリックして利用する各社のウェブサイトを開き、利用者のユーザーＩＤとパスワードを入力してメール送受信画面を表示させて電子メールの送受信を行う。
利用者は、ステップ８で所望の操作を終了するが、画面の「EXIT」(退出、終了)ボタンをクリックし、本情報提供システムを終了するのであれば、「Yes」をクリックして終了し、コンピュータ本体１内での課金のタイマー稼働を停止し、ステップ９で、コンピュータ本体１がインターネット６の接続を切断し、プリペイドカード返却信号をカードリーダ４に送信して、カードリーダ４のカード挿入口(図示せず)からプリペイドカードを返却し、表示端末２の画面は「カードを入れてください。」というメッセージが表示される初期画面となる。
ステップ８で、本情報提供システムを継続して使用するのであれば、「No」をクリックしてステップ10に進み、利用プリペイドカードの残金が「零」ではなく、「No」で課金が可能であればステップ７に戻り継続して使用でき、以後は同様にステップ８に進む。また、ステップ10で利用プリペイドカードの残金が「零」であれば、「Yes」をクリックして、ステップ11でカードリーダ４のカード挿入口(図示せず)に新たなプリペイドカードを挿入して、ステップ７に戻り継続して使用でき、以後は同様にステップ８に進む。
【００１１】
本実施例の情報提供システムでは、コンピュータ本体１（パソコン）がフリーズなどによりダウンした時は、操作端末装置３からの信号が送信されてもパソコンからの信号が操作端末装置３に返信されないので、これを利用してコンピュータ本体１内での課金のタイマー稼働が停止し課金の進行を停止して、カードリーダ４での残金表示（減算表示）も停止する。この場合には本情報提供システムに設けられたリセットボタン(図示せず)を操作することにより、パソコンが再立ち上げされ、残金表示も減算表示を開始し、引き続き情報提供システムを利用できる。
【００１２】
ここで、本発明の特徴部分である、コンピュータ本体１と操作端末３との間に介在する「操作端末の送信信号選別器５」(特定信号阻止回路)について説明する。
本発明の本実施例のカードタイマー付き情報提供システムは、インターネット等の通信ネットワークを介して各種情報の入手と、電子メールの送受信の利用に限定特化したものであるが、本発明は、前述したように、使用者がいたずらや不正目的でコンピュータ本体のシステムプログラムを勝手に変えることを防止することであるが、例えば、ウィンドウズ(登録商標)のＯＳにおいて、コンピュータ本体のシステムプログラムを操作する時に必ず使用し、且つ、インターネット等の通信ネットワークを介して各種情報の入手と電子メールの送受信の利用に支障のない操作キー(ボタン)、特に、操作端末３の操作キーとして、キーボード31上のAltキー(Alternate Key)やマウス32の右ボタンであることに着目して、このAltキー(及び／又はマウスの右ボタン）を操作したときの信号を検出して、Altキーの操作時におけるコンピュータ本体への信号を特定信号阻止回路である本実施例の「操作端末の送信信号選別器５」でキャンセルするものである。
特に、コンピュータ本体１がフリーズした時のキー操作で、Altキーと他のキーとを同時に操作するCtrl＋Alt＋Deleteのキー操作では、強制終了するもののタスクバーのスタートをクリックすると、タイマーを稼働するプログラムを立ち上げないまま再び情報提供システムが起動し、結果として、課金作動を伴わない無料状態の情報提供システムの使用が可能であるという不都合が生じていたが、このキー操作を本実施例の「操作端末の送信信号選別器５」でキャンセルして防止することができる。
【００１３】
この「操作端末の送信信号選別器５」（特定信号阻止回路)について、図３で更に詳しく説明する。
図３において、操作端末の送信信号選別器５はコンピュータ本体１と操作端末３の間に介在する。
先ず、図３に示すように、コンピュータ本体１からの信号ａは、操作端末の送信信号選別器５が介在しても、キーボード31やマウス32等の操作端末３にそのまま送信されるが(場合によっては、信号aの流れでは選別器５は介在させなくてもよい。)、操作端末３からの信号ｂは選別処理される。ここで、信号ｂについて説明すれば、操作端末３からの全ての信号ｂは、先ず、信号解析回路52で操作端末３からの信号を解析し、解析された信号を信号選別回路53でキーボード31上のAltキーを操作した場合の信号や、マウス32の右ボタンを操作した場合の信号を選別し、選別した信号だけを信号阻止回路54でキャンセルし、コンピュータ本体１への送信を阻止し、各種情報の入手と電子メールの送受信の利用に支障のない信号cだけをコンピュータ本体１に送信する。これらの回路52〜54は、一種のフィルター回路でもある。
【００１４】
この操作端末の送信信号選別器５は、コンピュータ本体１に組み込んでもよいし、操作端末３に組み込んでも、別体としてコンピュータ本体１と操作端末３の間に介在させてもよい。
また、機能解除スイッチ51は、普通のパソコンとして使用する場合等で、操作端末の送信信号阻止機能の必要が無い場合は、信号ｂを直接コンピュータ本体１に送信ｄする場合に使用する。もっとも、物理的にキーボード31上のAltキーの回路、マウス32の右ボタンの回路を切断しても操作端末の送信信号選別器５と同じ目的は達成できるが、普通のパソコンとして使用する場合の復旧作業が困難となるため、機能解除スイッチ51を設けてある。なお、この機能解除スイッチ51は通常状態では使用者が操作できないケース内部等の箇所に設置する。
【００１５】
本実施例は以上のような構成であるから、使用者がいたずらや不正目的でコンピュータ本体のシステムプログラムを勝手に変えようとして、例えば、キーボード31上のAltキー(Alt＋X(F4等)でウィンドウズ(登録商標)の操作が可能であった。）の操作や、或いは、マウス32の右ボタンを操作(メニューが開いて設定変更が可能であった。)しても、コンピュータ本体１が対応しないことから、システムプログラムを勝手に変えることが出来なくなり、また、Ctrl＋Alt＋Delete(強制終了)のキー操作等を使っての不正操作により無料でカードリーダ付き情報提供システムを使用することも出来なくなる。
【００１６】
なお、本発明の特徴を損なうものでなければ、上記の実施例に限定されるものでないことは勿論であり、例えば、本実施例ではプリペイドカードの残金を検出するカードリーダを用いたが、カードリーダの意味するところは、課金が可能であればよく、コインや紙幣の現金を挿入して使用できるようにしてもよく、プリペイドカードと現金の併用ができるカードリーダとしても良いことは勿論である。
【図面の簡単な説明】
【００１７】
【図１】本発明の実施例の全体の構成を説明する説明図である。
【図２】本発明の実施例の動作のフローチャートの図である。
【図３】本発明の実施例の特定信号阻止回路である実施例の操作端末の送信信号選別器の回路構成のブロック図である。
【符号の説明】
【００１８】
１…コンピュータ本体、
２…表示端末、
３…操作端末、31…キーボード、32…マウス
４…カードリーダ、
５…操作端末の送信信号選別器(特定信号阻止回路)、
51…機能解除ＳＷ、52…信号解析回路、
53…信号選別回路、54…信号阻止回路、
６…インターネット
【図１】
2006236020.tif 000003
【図２】
2006236020.tif 000004
【図３】
2006236020.tif 000005